Podtech/llm-jp-corpus-v4-ja_patent huggingface dataset:
(57)【要約】      （修正有）【課題】かばん、衣類などに付けて、ホルダーに付属のクリップなどに帽子、ハンカチ、切符、入場券を付けることで、型崩れ、紛失の予防をするホルダーを提供する。【解決手段】ホルダー本体に安全ピン、クリップ、ひも状の物、キーホルダー、キーチェーン、ナスカンなどを付け、かばんや衣類にホルダー本体を付けてそのホルダー本体の付属のクリップに、帽子、ハンカチ、切符、入場券を付ける。【選択図】図１
0003147271.tif 000002
【実用新案登録請求の範囲】
【請求項１】
ホルダー（帽子、ハンカチ、切符、入場券  その他）
ホルダー本体にクリップを付け、そのクリップに帽子、ハンカチ、入場券などを付け使用する。
ホルダーには、安全ピン（造花ピン）、クリップ、カラビナ風キーチェーン、ナスカンなどを付け、それでかばん、衣類などにホルダーを付けて使用する。
【考案の詳細な説明】
【技術分野】
【０００１】この考案は、かばん、衣類などに付ける本体部分にクリップを付属したホルダーにかんするもの。
【背景技術】
【０００２】・帽子を脱いだ時に、帽子を手に持つ、又はかばんに入れるなどしていたため、荷物が多い時に帽子が持ちずらかったり、帽子が型崩れをしたり、不便であった。
・何度か見せなければならない入場券、チケット、切符などを探すのが大変なことがあった。
・手を洗ったときに、手を拭くハンカチの置き場に困ったことがあった。
【考案の開示】
【考案が解決しようとする課題】
【０００３】・帽子の置き忘れ予防、型崩れ予防。
・入場券、チケット、切符など、何度か見せることが必要な物がすぐ出せる。
・手を洗った時に濡れた手をかばんに入れない。
【課題を解決するための手段】
【０００４】・持ち物や衣類に上記の物を付属できるクリップなどを付ける。
【考案の効果】
【０００５】・帽子を脱いだ時に、ホルダーに付属のクリップなどにはさめば、帽子の型崩れ、置き忘れを防ぐことが期待できる。
・どこに入れたか忘れがちな、入場券、チケット、切符などをホルダーに付属のクリップなどに付けておくと良い。
・手を洗う前にハンカチをホルダーに付属のクリップなどに付けておけば、すぐに手を拭くことができる。
・本体をコサージュ、カラビナ風キーチェーン、ビーズなどいろいろな種類を作ることにより、おしゃれ効果が期待できる。
【考案を実施するために現段階で最良と思う形態】
【０００６】▲１▼  本体に安全ピン（造花ピン、ブローチピンなど）とクリップを付ける。
▲２▼  本体にクリップを２つ付ける。
▲３▼  本体にクリップを２つ付ける。
▲４▼  本体にスナップボタン、ボタン、ホックとクリップを付ける。
▲５▼  本体にカラビナ風キーチェーン、ナスカン、キーホルダーとクリップを付ける。
▲６▼  本体にクリップと紐を付ける。
【実施例】
【０００７】以下、添付図面に従って一実施例を説明する。
▲１▼．コサージュタイプ
▲２▼．クリップタイプ
▲３▼．クッションタイプ
▲４▼．ビーズタイプ
▲５▼．花型クリップタイプ
▲６▼．ワッペンタイプ
▲７▼．カラビナ風キーチェーンタイプ
▲８▼．ナスカンタイプ【０００８】ａ，安全ピン（造花ピン、ブローチピンなど）
ｂ，クリップ
ｃ，クリップ
ｄ，紐
ｅ，クッション
ｆ，ビーズ
ｇ，カラビナ風キーチェーン
ｈ，コサージュ
Ｉ，花型クリップ
Ｊ，ナスカン
【図面の簡単な説明】
【０００９】
【図１】本考案のホルダー（帽子、ハンカチ、入場券、チケット、切符、その他）の一実施例を示す正面写真、図、及び裏面写真、図である。
【図２】本考案のホルダー（帽子、ハンカチ、入場券、チケット、切符、その他）の一実施例を示す正面写真、図、及び裏面写真、図である。
【図３】本考案のホルダー（帽子、ハンカチ、入場券、チケット、切符、その他）の一実施例を示す正面写真、図、及び裏面写真、図である。
【図４】本考案のホルダー（帽子、ハンカチ、入場券、チケット、切符、その他）の一実施例を示す正面写真、図、及び裏面写真、図である。
【図５】同上
【符号の説明】
【００１０】▲１▼  安全ピン（造花ピン、ブローチピンなど）
▲２▼  クリップ
▲３▼  クリップ
▲４▼  クッション
▲５▼  ビーズ
▲６▼  ワッペン
▲７▼  カラビナ風キーチェーン
▲８▼  ナスカン
【図１】
0003147271.tif 000003
【図２】
0003147271.tif 000004
【図３】
0003147271.tif 000005
【図４】
0003147271.tif 000006
【図５】
0003147271.tif 000007
【手続補正書】
【提出日】平成20年9月18日(2008.9.18)
【手続補正１】
【補正対象書類名】実用新案登録請求の範囲
【補正対象項目名】全文
【補正方法】変更
【補正の内容】
【実用新案登録請求の範囲】
【請求項１】
ホルダー本体にクリップを付け、そのクリップに帽子、ハンカチ、入場券、切符などを付けて使用する物で、ホルダーには、造花ピン、安全ピンクリップ、カラビナ風キーチェーン、ナスカンなどを付け、それでかばん、衣類などに付けて使用するホルダー。
(57)【要約】      （修正有）【課題】Ｃアームを使った術中の透視作業において、透視位置を決定するにはＸ線照射が必要で手術室の中に居る患者やスタッフが無駄な被爆をしていた。無被爆で透視位置を簡単に決定できる簡易無被爆透視位置決定装置を提供する。【解決手段】ＣアームのＩ．Ｉ（イメージインテンシファイア）にレーザーポインター３を加工したものを等間隔で取り付け、それに手元のハンドルに設置した電源としての乾電池やスイッチをつなぐ。スイッチを入れレーザーでポイントされる位置を目標透視位置に一致させる。スイッチを切り、通常の透視作業を行う。【選択図】図２
0003147278.tif 000002
【実用新案登録請求の範囲】
【請求項１】
Ｘ線照射前にＸ線透視位置の中心を知るために、複数の携帯型指示用レーザー発生器（以下レーザーポインター）をベルトに取り付け、そのベルトをＩ．Ｉに巻きつけて固定し、各レーザーポインターの位置とレーザー照射角度が調節できることを特徴とする、簡易無被爆透視位置決定装置。
【請求項２】
前記レーザーポインターは３個であることを特徴とする、請求項１記載の簡易無被爆透視位置決定装置。
【考案の詳細な説明】
【技術分野】
【０００１】  移動式Ｘ線透視装置（以下Ｃアーム）［図１］はＸ線透視像をモニターに映して骨や異物の状態を確認しながら行う手術に必要な装置である。透視部位をモニター中央に映すためには、透視部位ごとにＸ線を照射しながらＣアームを動かして位置を決定する。この際の不必要なＸ線被爆をなくすために本装置を考案した。【０００２】  本装置は、ＣアームのＩ．Ｉの太さに関係なく容易に装着可能なレーザー光を利用した装置である。
【背景技術】
【０００３】  従来、透視位置の決定には、前もってＸ線透視を行う必要があった。そのため、患者又はスタッフが無駄な被爆をしていた。
【考案の開示】
【考案が解決しようとする課題】
【０００４】  透視位置を決める際の無駄な被爆をなくする。
【課題を解決するための手段】
【０００５】  Ｃアームの上側のＩ．Ｉは円筒形になっており［図２］、その円周上にレーザーポインターを加工したものをベルトを用い等間隔で三つ取り付け［図３］、それと電源となる乾電池、スイッチを電線コードでつなぎ、スイッチは手元で操作ができるようにハンドルに付けた。つまり、本願で実用新案登録請求される発明は以下の通りである。
（１）Ｘ線照射前にＸ線透視位置の中心を知るために、複数の携帯型指示用レーザー発生器（以下レーザーポインター）をベルトに取り付け、そのベルトをＩ．Ｉに巻きつけて固定し、各レーザーポインターの位置とレーザー照射角度が調節できることを特徴とする、簡易無被爆透視位置決定装置。
（２）前記レーザーポインターは３個であることを特徴とする、（１）記載の簡易無被爆透視位置決定装置。【０００６】  等間隔で設置したレーザーポインターはそれぞれ角度が調節出来るような機構［図４］をとり、事前に調整することにより目的の高さでレーザー光点を集め中心がわかる。また、レーザーポインターの位置がスライドできる事により、Ｉ．Ｉの径が変化しても等間隔に調節し設置できる。
【考案の効果】
【０００７】  本発明を使用することにより、透視位置の中心を被爆なしで設定できる。【０００８】  レーザーにより透視位置の中心が目で見てわかるのですばやく設定できる。【０００９】  レーザーを使用することにより、無影燈で照らされた明るい術野でもレーザー光点を見失い難い。又、術野の高さが変わっても、レーザー光点で囲まれる３つの点から中心が容易にわかる。［図６  図７］【００１０】  レーザーポインターの位置がスライドできるので、Ｉ．Ｉの径が異なる装置でも等間隔で設定できる。［図４］
【実施例】
【００１１】  ＣアームのＩ．Ｉの下方に等間隔でレーザーポインターを加工したものをとりつける。［図２  図３  図４］【００１２】  レーザーポインターの電源としての乾電池ユニットとスイッチはＣアーム操作盤に設置し、レーザーポインターから電線コードで連結する。【００１３】  事前に、対象となる手術部位の高さでレーザー光点が集まるようにレーザーポインターの角度を調節する。［図４  図５］【００１４】  スイッチを入れレーザー光を出し、目的となる透視位置の中心にレーザー光点が一致するようにＣアームを移動させる。［図５  図６］【００１５】  スイッチを切り、通常の作業を行う。
【図面の簡単な説明】
【図１】Ｃアームの側面図。
【図２】ＣアームのＩ．Ｉ部分の拡大図。
【図３】Ｉ．Ｉを下方から見た図。
【図４】本装置の図。
【図５】レーザー光点で透視位置の中心を示す概略図。
【図６】レーザー光点により透視位置の中心を示された手関節の図。
【図７】ターゲットの位置を高くした時の中心を示された手関節の図
【符号の説明】
１  Ｉ．Ｉ（イメージインテンシファイア）
２  操作盤
３  レーザーポインター
４  ベルト
５  角度調節部
６  スライド式レーザーポインター支持器
７  レーザー光
８  三つのレーザー光により示された三点
【図１】
0003147278.tif 000003
【図２】
0003147278.tif 000004
【図３】
0003147278.tif 000005
【図４】
0003147278.tif 000006
【図５】
0003147278.tif 000007
【図６】
0003147278.tif 000008
【図７】
0003147278.tif 000009
(57)【要約】      （修正有）【課題】キーボード右端の空間を利用してマウススペースを実現した、マウス専用テーブル「マウス  ラック」を提供する。【解決手段】手首パッド装備のマウスパッドの底板（材質は金属又はプラスチック）を鋭角（１８度程度）に折り曲げ、キーボードの右端底に入れ使用することで、キーボードの頭上空間利用のマウスラックを構成する。【選択図】図１
0003147289.tif 000002
【実用新案登録請求の範囲】
【請求項１】
金属製又はプラスチックの平板を鋭角に折り曲げ（底板と称す。）、その底板の上に手首用パッド装備のマウスパッドを装着したことを特徴とするマウスラック
【考案の詳細な説明】
【技術分野】
【０００１】  パソコン作動時のマウス使用の際、デスクの上の筆記具や書類等があるため、マウス周辺が狭くクリック動作等に支障を来している状況にあり、マウス周囲の整理整頓が非常に望まれる。特にパソコンラックのキーボード台はマウススペースが少ない現状である。そこで本考案は、キーボード右端の空間を利用してマウススペースを実現した、マウス専用テーブル「マウス  ラック」を考案したものである。
【背景技術】
【０００２】  パソコン社会の現在、会社・家庭においては、マウスを触っていない者がいない程である。例え、マウスに変わるものが装備されているノートパソコン愛用者においても、マウス操作が主流になっている状況にある。
【考案の開示】
【考案が解決しようとする課題】
【０００３】  会社においては、一人１台パソコンが机の上に平然と置かれ、周囲には書類の山、筆記具やコーヒーカップ、茶菓子が散乱している中、マウスが埋もれている状況を目にすることも珍しくはない。また、家庭においても同様に、日用品や筆記具がマウススペースを損ねている有り様である。本考案は、以上の問題を一挙に解決したキーボード上、空間利用考案品である。
【課題を解決するための手段】
【０００４】  手首パッド装備のマウスパッドの底板（材質は金属又はプラスチック）を鋭角（１８度程度）に折り曲げ、キーボードの右端底に入れ使用することで、キーボードの頭上空間利用のマウスラックができる。
【考案の効果】
【０００５】  本考案を使用することでマウスを探すことなく、自然にマウスの定位置に手が伸び操作が開始できる。また、手首がマウスパッドに合致し馴染みやすいため、マウス操作が非常に楽になり、仕事能率が向上する。その上、コーヒー等のこぼれやすい息抜き飲料水や茶菓子などをすぐそばに置くことができ、マウス操作で落下する心配もない。このようにマウススペースの安定が様々な効果をもたらす優れものである。
【考案を実施するための最良の形態】
【０００６】  以下、本考案の実施の形態を説明する。
（ア）実用新案登録請求範囲の主とする（１）マウスラック底板を鋭角に折り曲げ、その底板に手首用パッド装備のマウスパッドを装着する。
【図面の簡単な説明】
【０００７】
【図１】本考案とキーボードの左断面全容図
【図２】本考案とキーボード使用時の正面全容図
【符号の説明】
【０００８】（１）マウスラック底板（実用新案登録請求範囲の主）、（２）手首用パッド装備マウスパッド（実用新案登録請求範囲の主）
【図１】
0003147289.tif 000003
【図２】
0003147289.tif 000004
(57)【要約】      （修正有）【課題】スイッチの切り替えでコイルの電気抵抗を変えて変速する円盤型変速直流電動機を提供する。【解決手段】円盤型回転子の円周上に複数のコイル組み込み全コイルの両端を多数の永久磁石３でＮ極Ｓ極交互に電動機本体に固定した。全コイルに流す電流を整流子でプラスとマイナス交互に繰り返す原理で基本的に２個だけのコイルと同じであるが回転数を制御する為にコイルを複数に分裂させた。コイルはＡ組２とＢ組２ｂに分け整流子でＡ組のプラスとマイナス電極の切り替わり時にはＢ組全コイルに電流が流れ、Ｂ組の切り替わり時はＡ組全コイルに電流が流れている。【選択図】図３
0003147316.tif 000002
【実用新案登録請求の範囲】
【請求項１】
電動機は円盤型回転子でコイルを円盤に複数組み込み全コイル両端を多数の永久磁石でＳ極Ｎ極交互に挟み込んだ物、全コイルの配線は基本的に２個のコイルを複数に分裂した物であるから電流を流すコイルの数を減らす又は直列、並列配線などコイルの配線方法で電気抵抗を変え変速する円盤型変速電動機。
【考案の詳細な説明】
【技術分野】
【０００１】本考案は円盤型回転子にコイルを円周上に複数組み込みコイルの両端を多数の永久磁石で挟んだ物でスイッチの切り替えでコイルの電気抵抗を変えて変速する円盤型変速直流電動機である。
【背景技術】
【０００２】従来の単相直流電動機では回転子のコイル片側の磁界しか利用出来ない、又無断変速機能も低速の位置では消費電流は高いがトルクは小さく僅かな負荷でも回転しない時が多い。
【考案の開示】
【考案が解決しようとする課題】
【０００３】コイルの両端を永久磁石で挟み込めば両側の磁界が利用でき、変速機能も回転子のコイル配線を直列又並列など配線の切り替えで変速すれば電力の無駄なく活用出来る。
【課題を解決するための手段】
【０００４】本考案は円盤型回転子の円周上に複数のコイル組み込み全コイルの両端を多数の永久磁石でＮ極Ｓ極交互に電動機本体に固定した物、全コイルに流す電流を整流子でプラスとマイナス交互に繰り返す原理で基本的に２個だけのコイルと同じであるが回転数を制御る為にコイルを複数に分裂させた物である、コイルはＡ組とＢ組に分け整流子でＡ組のプラスとマイナス電極の切り替わり時にはＢ組全コイルに電流が流れてＢ組の切り替わり時はＡ組全コイルに電流が交互に流れている。【０００５】変速機能も高速回転では電気抵抗が大きく電流の流れが悪いが低速回転では電気抵抗は小さく過電流が流れる為シャフト部分にコイル配線の切り替えスイッチを取り付け全コイルの配線切り替えで電気抵抗を変える構造である図４は６段切り替えで２段目を示す、回転子の全コイル配線を直列配線にすれば電気抵抗が大きく低速回転になるが全コイルを並列配線すれば電気抵抗は小さく高速回転になる。電動機は二タイプで低速タイプはコイルを多数付けた一枚だけの大きなは円盤型回転子で、高速タイプはコイルを４個組み込んだ小さな円盤をシャフトに数枚並べ円盤と円盤の間に永久磁石６個単位で並べた物で原理は同じである。
【考案を実施するための最良の形態】
【０００６】回転子を円盤型にして複数のコイルを多数の永久磁石で挟み込む形状にした事である。
【考案の効果】
【０００７】円盤型回転子で固定子側の多数並んだ永久磁石と回転子側の複数のコイルが同時に同じ働きをする為、コイルの配線方法で電流を流すコイルの数を減らなど、省エネ等が可能になった。
【０００８】直流発電機利用ではコイルを直列配線で電流は低いが電圧は高く並列配線ではその逆であから発電機の回転数を変えずコイル切り替えスイッチで電圧調整ができ、無鉄心あるからコイルに同通しなければ整流子とブラシの摩擦以外回転抵抗はほとんど無い。
【実施例】
【０００９】本考案に扇風機の羽を取り付けＤＣ１２Ｖ０．５Ａの電源で起動した結果３０センチ卓上扇風機と同様の風量が得られた。
【図面の簡単な説明】
【００１０】
【図１】  電動機全体の切断面である。
【図２】  Ｂ−Ｂは整流子の正面図である。
【図３】  Ａ−Ａは円盤型回転子の正面図である。
【図４】  スイッチ盤コイル切り替えスイッチの配線図で図のスイッチ位置は４コイル直列×２を示た位置で全て参考配線で配線の組み合わせは自由である。
【図５】  高速型電動機の切断面である。
【符号の説明】
【００１１】    １  円盤型回転子
２  Ａ組コイル  ２ｂはＢ組コイルを示す
３  永久磁石
４  電動機本体
５  スイッチ盤
６  プーリー
７  整流子
８  コイル接続端子
９  整流子接続端子
１０  ブラシ
１１  配線切り替えスイッチ
１２  シャフト
１３  ガイドロット
１４  配線用溝
１５  配線
１６  電極端子
１７  絶縁部
１８  同通板
１９  Ｒ側電極板
２０  Ｌ側電極板
２１  Ａ組電極ユニット
２２  Ｂ組電極ユニット
【図１】
0003147316.tif 000003
【図２】
0003147316.tif 000004
【図３】
0003147316.tif 000005
【図４】
0003147316.tif 000006
【図５】
0003147316.tif 000007
(57)【要約】      （修正有）【課題】ペットボトルへの取り付けが簡単で構造もすっきりとして商品としての生産性や費用も抑えることが出来るペットボトル用コップを提供する。【解決手段】コップ本体１の底中央部にペットボトルのキャップと同じ大きさからなるキャップ部３、キャップ部３の内側周囲にペットボトルのキャップの内側と同様の溝からなる嵌合部、外周中央部よりやや下に掴み部２を一体で設けたことを特徴とするペットボトル用コップである。【選択図】図１
0003147320.tif 000002
【実用新案登録請求の範囲】
【請求項１】
コップ本体（１）の底中央部にペットボトルのキャップと同じ大きさからなるキャップ部（３）、キャップ部（３）の内側周囲にペットボトルのキャップの内側と同様の溝からなる嵌合部（４）、外周中央部よりやや下に掴み部（２）を一体で設けたことを特徴とするペットボトル用コップ。
【考案の詳細な説明】
【技術分野】
【０００１】  本考案は、市販のＰＥＴ（ポリエチレンテレフタレート樹脂）ボトル（以後ペットボトルと表記）に取り付けて使用するコップに関するものである。
【背景技術】
【０００２】  今では水やお茶・清涼飲料水はペットボトルでの販売が主流である。通常ペットボトルは、キャップを開栓してそのまま直接口をつけて飲むか、直接口をつけて飲みにくい子供やお年寄りなどは、別の容器に移し替えて飲むのが一般的である。そして一度で飲みきることはほとんどなく、必要な量だけ飲んだあとは、キャップをして保管することとなる。【０００３】  従って一度直接口をつけて飲んだものは他人に分けることは出来ず衛生上も好ましくない。そこでいろいろなものが考えられている。例えばペットボトルキャップに携帯できるコップ（特許文献１参照）などやペットボトルにコップを固定できるようにしたもの（特許文献２参照）などが公知されている。【０００４】
【特許文献１】［公開番号］特許公開２００５−６７７２３［公開日］２００５年３月１７日［出願番号］特許出願２００３−３３８７８３［出願日］２００３年８月２３日［出願人］大山  恵子［発明者］大山  恵子［発明の名称］ペットボトルキャップに携帯できるコップ付きの装飾具
【０００５】
【特許文献２】［公開番号］特許公開２００６−３６２６４［公開日］２００６年２月９日［出願番号］特許出顆２００４−２１７５４８［出願日］２００４年７月２６日［出願人］株式会社アイトック［発明者］伊藤  二郎［発明の名称］コップ
【０００６】  しかしながら特許文献１で示したペットボトルキャップに携帯できるコップは、ペットボトルのふたは開けやすくなってはいるものの、構成が複雑で使用し難いという問題点があり、又特許文献２で示したペットボトルにコップを固定できるようにしたものは生産性及び費用などに問題点があり量産し難いものであった。
【考案の開示】
【考案が解決しようとする課題】
【０００７】  そこで本考案は、ペットボトルへの取り付けが簡単で構造もすっきりとして商品としての生産性や費用も抑えることが出来るペットボトル用コップを提供することを課題とする。
【課題を解決するための手段】
【０００８】  上記課題を解決するために本考案のペットボトル用コップは、コップの底中央部にペットボトル脱着用でペットボトルのキャップと同じ大きさからなるキャップ部と外周中央よりやや下にキャップを回すときに回しやすいように設けた掴み部からなることを最大の特徴とする。
【考案の効果】
【０００９】  ペットボトル入りの飲み物を購入して、最初は新品に付いているキャップをあけ、本考案のペットボトル用コップに注いで飲むようにすれば、ラッパのみになるようなこともなく見た目にも良い上に、最大の特徴である衛生面でも大変良いということになる。さらに二人以上の人数で飲む時にも本考案のペットボトル用コップを人数分用意すればよく購入者にとっても経済的であり、温かいものは温かいうちに、冷たいものは冷たいうちに飲むということになり飲み物をおいしい状態で飲むことが出来るようになる。つまり本考案のペットボトル用コップを使うことにより市販の飲み物が水筒のように使えるということになる。【００１０】  さらにペットボトルに限らず通常のコップとしても当然使うことが出来る。その上にペットボトルにつけた状態にするとキャップの開け閉めが、コップ外周に掴み部を設けたことにより小さい子供やお年寄りでも僅かな力で容易に出来るようになる。【００１１】  本考案は構造が簡単で生産性もよく製造費用も比較的安価ですますことが出来る。
【考案を実施するための最良の形態】
【００１２】    以下本考案を実施するための最良の形態を図１を使って説明する。図１は本考案のペットボトル用コップの断面図で、コップ本体（１）の底中央部にペットボトルのキャップと同じ大きさからなるキャップ部（３）、キャップ部（３）の内側周囲にペットボトルのキャップの内側と同様の溝からなる嵌合部（４）、外周中央部よりやや下に掴み部（２）を一体で設ける。本考案は以上の構成よりなる。【００１３】    これを使用するときは、市販のペットボトルに最初から付いているキャップを開栓してあけ、コップとして本考案のペットボトル用コップに注いで飲み物を飲む。飲み終えたらこれを逆さにして掴み部（２）を持ちキャップ部（３）をペットボトルの口部分に合わせて閉める。最初についていたキャップは不要となる。【００１４】  人数が多いときは本考案のペットボトル用コップを人数分揃える。
【図面の簡単な説明】
【００１５】
【図１】本考案のペットボトル用コップの断面図
【図２】本考案のペットボトル用コップのキャップ部の断面図
【符号の説明】
【００１６】  （１）      コップ本体  （２）      掴み部  （３）      キャップ部  （４）      嵌合部
【図１】
0003147320.tif 000003
【図２】
0003147320.tif 000004
(57)【要約】      （修正有）【課題】トランプのように、行楽や暇つぶしに手軽に携帯し、色々なゲームを楽しめるゲーム用かるたを提供する。【解決手段】かるたの内容を、俳句や川柳、諺、標語などの短詩とし、百人一首より小型にした数十枚の読札１と、対となる取札２で１組のかるたを構成する。短詩の１つのジャンルを選定し、その中から数十の短詩を選び、読札１の各１枚に、１つの短詩の全文３を書き入れる。対となる取札２のそれぞれに、読札１の短詩の末文４をひらがなで書き入れる。読札１と取札２のそれぞれの余白に、番号やトランプマーク、花札の図柄などを、識別記号５として書き込む。【選択図】図２
0003147318.tif 000002
【実用新案登録請求の範囲】
【請求項１】
（イ）かるたの内容を、俳句、川柳、諺、標語などの短詩とする。
（ロ）読札１の各１枚に、１つの短詩の全文３を書き入れる。
（ハ）対となる取札２のそれぞれに、読札１の短詩の末文４を書き入れる。
（ニ）読札１と取札２のそれぞれの余白に、番号やトランプマーク、花札の図柄などを、識別記号５として書き込む。
以上のように構成されたかるた。
【考案の詳細な説明】
【考案の詳細な説明】
【産業上の利用分野】
【０００１】  この考案は、ゲーム用かるたに関するものである。
【背景技術】
【０００２】  従来、読札と取札のあるかるたには、百人一首といろはかるたがある。
百人一首は、文章が難しく取り付きにくい。札が大きく持ち歩きが不便、ゲームをする広い場所が必要。正月の遊びとして定着し日常的でない。内容が固定化し多様性がない。などの欠点があった。
いろはかるたは、諺や標語など内容はいろいろあるが、ひらがなを学習する年齢の子供には適当なゲームでも、それ以上の者には簡単過ぎて面白くない。読み上げる最初の一文字を探すだけで、競技性もゲーム性も少なく、文章全体の学習性にも乏しいなどの欠点があった。
また、どちらにも、トランプのように、行楽や暇つぶしに手軽に携帯し色々なゲームを楽しく遊べるような、気楽さや親しみやすさがなかった。
【考案が解決しようとする課題点】
【０００３】  本案は、その欠点を除いて、かるたを何時でも何処でも、一人でも多人数でも気楽にゲームができ、娯楽や教養、学習や指導など利用者の年齢層やニーズに合わせた多様な内容にし、楽しく遊びながら学ぶことができるゲーム性の高いかるたを開発しようとするものである。
【課題を解決するための手段】
【０００４】  いまその解決手段を、図面を追いながら説明すると
（イ）かるたの内容を、解り易く、有用で楽しくなる、俳句や川柳、諺、標語などの短詩とする。
（ロ）百人一首より手軽に携帯できるように小型にし、数十枚の読札１と、対となる取札２で１組のかるたを構成する。
（ハ）短詩から１つのジャンルを選定し、その中から数十の短詩を選び、読札１の各１枚に、１つの短詩の全文３を書き入れる。
（ニ）対となる取札２のそれぞれに、読札１の短詩の末文４をひらがなで書き入れる。
（ホ）読札１と取札２のそれぞれの余白に、番号やトランプマーク、花札の図柄などを、ゲームカードにもなる識別記号５として書き込む。
（ヘ）枚数は取り入れる内容により、例えば百人一句なら１００枚、識別記号にトランプを使えば５３枚となるなど、自由に決める。
【作用】
【０００５】  本案は、以上のように構成されているから、短詩部分だけで、百人一首と同じように、読み手が読札１を読み、取り手が取札２を取るいわゆるかるたができ、百人一首より小型で手軽、内容も解り易く楽しいものになる。
また、読札１と取札２の余白に書き込む識別記号５を、番号を書き込めば、数字で遊ぶカードができ、トランプのマークを書き込めば、トランプのカード、花札の図柄を書き込めば、花札の札が２組分できることになりかるたとトランプ等を兼ね備えた多目的なかるたカードになる。
【考案の効果】
【０００６】  この短詩かるたは、百人一首の固定した内容とは違い、俳句や川柳、諺、標語など、ある一定の短い文章ならどれでも活用できるため、目的に合わせて多種多様なものができる。
また、いろはかるたの最初の一文字だけを探すのとは違い、短詩全体を聞きながら、短詩の末文を探すことになり、読み方によって競技性が増し、ゲームとしての面白さが倍加される。
従って、書き入れる内容によって、娯楽から学習教養まで、子供向けから大人向けまで、遊びから競技までなど、多様な利用者ニーズに合わせたいろいろな内容のものにすることができる。
また、短詩を覚えることが、かるた取りの上達の条件になるため、覚えようとする意欲から、必然的に学習効果も高くなるとともに、俳句や川柳、諺や標語等の普及啓発にも大いに貢献できる。
さらに、余白に書き込む識別記号でできる、２組の数字カードやトランプ、花札などは、より多人数でも遊べ、従来以上の遊び方やゲームができるとともに、カードの小型化により、何時でも何処でも持ち歩け、手軽に楽しく、遊びながら学ぶことができるゲーム性の高いかるたカードとなる。
【図面の簡単な説明】
【図１】  本考案の全体斜視図
【図２】  本考案の一部平面図
【符号の説明】
１は読札
２は取札
３は短詩の全文
４は短詩の末文
５は識別記号
【図１】
0003147318.tif 000003
【図２】
0003147318.tif 000004
(57)【要約】      （修正有）【課題】食材天日干しに於いて、どんな食材でも通気良く載せることが出来、清潔に使用することが出来る細編みネットトレー棚を提供する。【解決手段】吊干し網の中にセットする細編みネットトレー棚は、細編みネット１に枠３を付け、四方に脚を設け、同じ大きさのトレーの四隅に足止め突起を設け、細編みネットとトレーをセットにする。【選択図】図２
0003147317.tif 000002
【実用新案登録請求の範囲】
【請求項１】
吊干し網の中にセットする細編みネットトレー棚は、細編みネットに枠を付け、四方に脚を設け、同じ大きさのトレーの四隅に脚止め突起を設け、細編みネットとトレーをセットにした細編みネットトレー棚。
【考案の詳細な説明】
【技術分野】
【０００１】  本考案は、食材天日干しに於いて、どんな食材でも通気良く清潔に使用することができる細編みネットトレー棚に関するものである。
【背景技術】
【０００２】  従来、吊干し網の中に作り付けの網棚が設けられていた。
【考案の開示】
【考案が解決しようとする課題】
【０００３】  そのために次のような問題点があった。
（イ）米粒のような小さな粘るもの、魚などの臭いの付くもの、梅干作りの汁気のものが      下段に落ちるもの等を作り付けの網棚に直に載せることになり、網棚が汚れる。
（ロ）天候により、一旦はずして冷蔵庫に保管しなけらばならない品物は、棚がはずれな      いことにより、他の器に移さなければならず手間がかかる。
（ハ）網棚の汚れを落とすために吊干し網全体を洗うことのなる。
本考案は、以上の問題点を解決するためになされたものである。
【問題を解決するための手段】
【０００４】  細編ネットの四方に脚を設け、同じ大きさのトレーの四隅に脚止め突起を設ける。
本考案は、以上の構成よりなる細編みネットトレー棚である。
【考案の効果】
【０００５】  吊干し網は、スペースのないところでも使用でき、虫よけ猫よけのためでもあり、これに細編ネットトレー棚を設けることにより、様々な食品をのせることができ、臭いの付く干物作りに、残り野菜の保存食、粘るご飯を乾燥させての菓子作り、梅干し作りなどなんでも安心して載せることができる。
日数がかかる品物も、簡単にはずして冷蔵庫に保管でき、洗う場合も細網ネットトレー棚だけを洗うことで、臭いも汚れも落として清潔に使用できる。
【考案を実施するための最良の形態】
【０００６】  以下、本考案の実施の形態を説明する。
（イ）細網ネット（１）は、ステンレス等のネットとして枠（２）を設け、枠（２）の      四隅に脚差込穴（３）を開ける。
脚（４）を設け、脚差込穴（３）に差込む。
（ロ）トレー’（５）は、細編ネットと同じ大きさで、浅い枠（６）を設け、四隅に脚      止め突起（７）を設ける。
本考案は以上のような構成で、これを使用する時は、細編ネットの脚（４）を立て、トレー（５）の脚止め突起（７）とトレー枠（６）の間に差し込む。
細編みネットの上に品物を載せ、吊干し網（Ａ）のチャック（Ｂ）を開き、網棚（Ｃ）の上に載せ、チャック（Ｂ）を閉める。
冷蔵庫に保管の場合は、網棚（Ｃ）から細編みネットトレーそのままを取り出し、脚（４）を細編みネットの裏に折り曲げてトレー（５）との空間をなくし収めることができる。
【図面の簡単な説明】
【０００７】
【図１】本考案の細編みネット脚付き側面図
【図２】本考案の細編みネット裏平面図
【図３】本考案のトレー平面図
【図４】既存の吊干し網正面図
【符号の説明】
【０００８】（１）細編みネット（２）ネット枠（３）脚差込穴（４）脚（５）トレー（６）トレー枠（７）脚止め突起
（Ａ）既存の網（Ｂ）チャック（Ｃ）網棚（Ｄ）吊掛け紐
【図１】
0003147317.tif 000003
【図２】
0003147317.tif 000004
【図３】
0003147317.tif 000005
【図４】
0003147317.tif 000006
(57)【要約】      （修正有）【課題】一般的でよく利用されているペットボトルを再利用のために洗う時に使用するペットボトル洗いを提供する。【解決手段】柄部１の最下部に、細長の直方体からなる洗浄部４を挟み込む逆Ｕ字型の形状をなす二股挟持部３、上部に握り部２、最上部にフック部５を設けたことを特徴とするペットボトル洗いである。いろいろなサイズにカットした洗浄部分を取り外して使用するが可能になることによって、様々な形状のあるペットボトルの底や側面・くぼみ部分・肩の部分まで綺麗に洗浄することが可能となる。【選択図】図１
0003147319.tif 000002
【実用新案登録請求の範囲】
【請求項１】
柄部（１）の最下部に、細長の直方体からなる洗浄部（４）を挟み込む逆Ｕ字型の形状をなす二股挟持部（３）・上部に握り部（２）・最上部にフック部（５）を設けたことを特徴とするペットボトル洗い。
【考案の詳細な説明】
【技術分野】
【０００１】  本考案は、一般的でよく利用されているペットボトルを再利用のために洗う時に使用するペットボトル洗いに関するものである。
【背景技術】
【０００２】  昨今、ジュースや清涼飲料水などの飲み物やミネラルウォーター・お茶などに一般的に使用されているペットボトルは、いまやなくてはならないものとなっている。従来外出時にお茶を持ち歩くには水筒が主であったが、ペットボトルは安価である上に軽いこともあり、その上リサイクル可能ということもあり、これらの利便性により今ではペットボトルは生活する上で欠かせないものとなっている。【０００３】  しかしながら最近の物価高ということもあり、又、ものを大切に使うということもあり、この便利なペットボトルを一回使っただけで廃棄処分とすることはもったいないので、飲みおえたペットボトルを洗浄して使う機会が増えてきているのが現状である。【０００４】  このペットボトルを再利用するために内部を綺麗に洗う洗浄具としては、細長棒状で湾曲部を有した把手に螺旋状に撚った毛材を配したブラシ（特許文献１参照）や、刷毛部を哺乳瓶に入れて振り洗う哺乳瓶洗浄具（特許文献２参照）などがある。【０００５】
【特許文献１】  ［公開番号］特許公開２０００−２０１７４２［公開日］２０００年７月２５日［出願番号］特許出願平１１−１１５７８［出願日］１９９９年１月２０日［出願人］橋本  秀昭［発明者］橋本  秀昭［発明の名称］ボトル洗浄用ブラシ
【０００６】
【特許文献２】  ［公開番号］特許公開２００７−２８９５７９［公開日］２００７年１１月８日［出願番号］特許出願２００６−１２３５９５［出願日］２００６年４月２７日［出願人］株式会社サンコー［発明者］角谷  勝義［発明の名称］哺乳瓶洗浄具
【考案の開示】
【考案が解決しようとする課題】
【０００７】  しかし残念ながら口の小さいペットボトルでは、特許文献１に示したブラシでは、洗浄部のブラシ部分が大きいため中に入れるのも難しく、ペットボトルの肩の部分を綺麗に洗浄することは不可能である。また特許文献２に示した哺乳瓶洗浄具ではペットボトルの肩の部分や、くぼみのあるペットボトルではくぼみ部分を綺麗に洗浄することは難しい。このようにペットボトルにはさまざまな形状があり、飲み口の部分は小さく、いろいろな形がある底や肩の部分や側面を隈なく洗うことが出来る洗浄具を提供することを課題とする。
【課題を解決するための手段】
【０００８】  上記課題を解決するために本考案のペットボトル洗いは、柄の先端に洗浄部分を取り外しが可能になるような二股挟持部を設けたことを最大の特徴とし、洗浄部分には色々な大きさにカットが可能で、洗剤を必要としないメラミン樹脂発泡体などを使用する。
【考案の効果】
【０００９】  いろいろなサイズにカットした洗浄部分を取り外して使用するが可能になることによって、様々な形状のあるペットボトルの底や側面・くぼみ部分・肩の部分まで綺麗に洗浄することが可能となる。
【考案を実施するための最良の形態】
【００１０】  図１を使って実施形態を説明する。柄部（１）の最下部に逆Ｕ字型に二股挟持部（３）を設け、上部に握り部（２）・最上部にフック部（５）を設ける。洗浄部（４）の形状は細長の直方体としペットボトルの口と同じ位とする。【００１１】  このペットボトル洗いの使用方法を説明すると、ペットボトルの口と同じ位の断面積からなる直方体にカットしたメラミン樹脂発泡体をＵ字型の二股挟持部（３）に挟み込む。これで準備完了である。この際ペットボトルの口のように丸くカットする必要はなく四角のままでよい。メラミン樹脂発泡体が軟らかいため変形して中へ楽に入るのである。挟み込むものの素材としては、メラミン樹脂発泡体だけでなくスポンジや布でも可能である。【００１２】  洗浄方法としては、ペットボトルの底の部分は挟みこんだ洗浄部（４）のメラミン樹脂発泡体の底の部分で洗浄する。同様にペットボトルの側面の部分はメラミン樹脂発泡体の側面で洗浄し、ペットボトルの肩の部分はメラミン樹脂発泡体の上部の角の部分で洗浄すれば綺麗に塵や汚れを除去することが出来る。
使い終えたらフック部（５）で掛けておけば乾燥し衛生的に使用出来る。又メラミン樹脂発泡体が磨耗してきたら新しいメラミン樹脂発泡体と取り替えれば長く使用することが出来る。
【図面の簡単な説明】
【００１３】
【図１】  本考案の正面図
【図２】  本考案の柄部の側面図
【符号の説明】
【００１４】  （１）        柄部
（２）        握り部
（３）        二股挟持部
（４）        洗浄部
（５）        フック部
【図１】
0003147319.tif 000003
【図２】
0003147319.tif 000004
(57)【要約】【課題】  構造が簡単で占有面積が小さく製造コストが低い電池保護信号採集回路の提供。【解決手段】  電圧入力端と接地端の間に直列に接続されると共に電池付近に設置された少なくとも一つのリアクトルと一つの分圧抵抗を包含し、該リアクトルと分圧抵抗の間には信号出力端が接続されている。電池が過充電或いは過放電等の原因により発熱する時、リアクトルが対応する電池の高温を検出して回路を切断し、信号出力端が高レベル信号を出力し、これが、信号出力端と接続された電池保護主回路に提供する制御信号とされ、これにより電池の充電放電回路を遮断し、電池を保護する。【選択図】        図１
0003147391.tif 000002
【実用新案登録請求の範囲】
【請求項１】
電池保護信号採集回路において、
電圧入力端と、
接地端と、
該電圧入力端と該接地端の間に直列に接続されると共に電池付近に設置された少なくとも一つのリアクトルと、
該電圧入力端と該接地端の間に直列に接続された少なくとも一つの分圧抵抗と、
該リアクトルと該分圧抵抗の間に接続された信号出力端と、
を包含したことを特徴とする、電池保護信号採集回路。
【請求項２】
請求項１記載の電池保護信号採集回路において、前記リアクトルの一端が前記接地端に接続され、前記分圧抵抗の一端が前記電圧入力端に接続されたことを特徴とする、電池保護信号採集回路。
【考案の詳細な説明】
【技術分野】
【０００１】
本考案は一種の信号採集回路に係り、特に一種の電池保護信号採集回路に関する。
【背景技術】
【０００２】
過充電、過放電と過電流等の状況は、往々にして電池の性能と使用寿命に影響を与え、爆発を引き起し得る。このため電池は一般に充電、放電状態に対して効果的に監視し、並びにある条件下で充電、放電回路を切断する電池保護回路を必要とし、電池保護回路はいずれも信号採集回路を必要とする。
【０００３】
図２を参照されたい。周知の電池保護信号採集回路１’は、電池保護主回路（図示せず）に電池保護信号を提供するために用いられる。該電池保護信号採集回路１’はサーモスタットＴ１、サーモスタットＴ２、演算増幅器Ｕ１、信号出力端Ｏｕｔｐｕｔを包含する。サーモスタットＴ１とサーモスタットＴ２は二つの信号採集点とされ並びにそれぞれ異なるリチウム電池（図示せず）の傍らに設置される。リチウム電池が正常に作動している時、信号出力端Ｏｕｔｐｕｔは低レベル信号を出力する。例えば、サーモスタットＴ１の傍らに置かれたリチウム電池が過充電、過放電等の原因により発熱する時、サーモスタットＴ１の抵抗が増大し、これによりサーモスタットＴ１両端の電圧が増大し、これにより演算増幅器Ｕ１の出力電圧が増大し、これにより信号出力端Ｏｕｔｐｕｔが高レベル信号を出力する。電池保護主回路は信号出力端Ｏｕｔｐｕｔの出力する高レベル信号を受け取った後、この高レベル信号に基づき、リチウム電池の充電、放電回路を切断し、これによりリチウム電池を保護する。
【考案の開示】
【考案が解決しようとする課題】
【０００４】
上述の周知の電池保護信号採集回路１’の構造は複雑で、且つ占有空間が大きく製造コストが高く、電子製品の小型化とコストダウンの要求に符合しない。
【０００５】
ゆえに、本考案は、周知の電池保護信号採集回路の上述の欠点に対して、構造が簡単で、占有空間が小さく、製造コストが低い、電池保護信号採集回路を提供することを目的とする。
【課題を解決するための手段】
【０００６】
本考案の電池保護信号採集回路は、電圧入力端と接地端の間に直列に接続されると共に電池付近に設置された少なくとも一つのリアクトルと一つの分圧抵抗を包含し、該リアクトルと分圧抵抗の間には信号出力端が接続されている。
【考案の効果】
【０００７】
上述の手段により、電池が過充電或いは過放電等の原因により発熱する時、リアクトルが対応する電池の高温を検出して回路を切断し、信号出力端が高レベル信号を出力し、これが、信号出力端と接続された電池保護主回路に提供する制御信号とされ、これにより電池の充電放電回路を遮断し、電池を保護する。本考案の電池保護信号採集回路は、構造が簡単で、占有空間が小さく、製造コストが低い。
【考案を実施するための最良の形態】
【０００８】
図１を参照されたい。この実施例において、本考案の電池保護信号採集回路１は、リチウム電池に対する保護を行なう場合を例としている。電池保護信号採集回路１は電池保護主回路（図示せず）に保護電池信号を提供する。電池保護信号採集回路１は、接地端ＧＮＤと電圧入力端Ｖｐとの間に直列に接続されたリアクトルＲＴ１、リアクトルＲＴ２、及び分圧抵抗Ｒを包含する。信号出力端Ｏｕｔｐｕｔが分圧抵抗ＲとリアクトルＲＴ２の間に接続される。
【０００９】
本実施例では、リアクトルＲＴ１とリアクトルＲＴ２が回路切断する時の温度は、それぞれ摂氏６０度と摂氏７０度に設定され、リアクトルＲＴ１とリアクトルＲＴ２はそれぞれ異なるリチウム電池（図示せず）付近に設置される。リアクトルＲＴ１付近のリチウム電池が置かれた環境の温度は比較的低く、リアクトルＲＴ２付近のリチウム電池の置かれた環境の温度は比較的高い。リチウム電池が正常に作動している時、信号出力端Ｏｕｔｐｕｔは低レベル信号を出力する。
【００１０】
本考案が実施される時、リアクトルＲＴ１付近に設置されたリチウム電池は過充電、過放電により温度が摂氏６０度に達した時、リアクトルＲＴ１が回路切断し、これにより信号出力端Ｏｕｔｐｕｔが高レベル信号を出力する。電池保護主回路は信号出力端Ｏｕｔｐｕｔが出力した高レベル信号を受け取ることにより、リチウム電池の充電、放電回路を切断し、これによりリチウム電池を保護する。リアクトルＲＴ２の作業原理はこれと同様であるため、重複した説明は省略する。
【００１１】
総合すると、リチウム電池が過充電、過放電等の原因により発熱する時、本考案の電池保護信号採集回路１のリアクトルＲＴ１或いはリアクトルＲＴ２が電池の高温により切断され、これにより信号出力端Ｏｕｔｐｕｔが信号出力端Ｏｕｔｐｕｔに接続された電池保護主回路に高レベル信号を出力し、これにより電池保護主回路がリチウム電池の充電、放電回路を切断し、リチウム電池を保護する。本考案の電池保護信号採集回路１は構造が簡単で、占用空間が小さく、低コストである。
【図面の簡単な説明】
【００１２】
【図１】本考案の電池保護信号採集回路の実施例の回路原理図である。
【図２】周知の電池保護信号採集回路の実施例の回路原理図である。
【符号の説明】
【００１３】
１、１’  電池保護信号採集回路
ＧＮＤ  接地端
Ｖｐ  電圧入力端
Ｏｕｔｐｕｔ  信号出力端
ＲＴ１、ＲＴ２  リアクトル
Ｒ  分圧抵抗
【図１】
0003147391.tif 000003
【図２】
0003147391.tif 000004
(57)【要約】      （修正有）【課題】ホックと円錘ばねを組み合わせて釦機能のほか、過剰な体熱放出のために立体的方向への半解放機能を有するホック釦を提供する。【解決手段】釦はホック上面の大凸部と、下の被される部４との間を円錐ばねで繋いだホックと釦の組合わせ構造とする。大凸部のホック上部はプラスチック釦８で被い見かけをよくしておく。シャツ等の合わせ目の下布にホックの小凸部４を縫いつけ、上になる合わせ目には釦穴をあけて、そこからばねを押し込めてホック機能を働かせた状態ではプラスチック釦として機能するか、ホックを外すとばねが働いて、プラスチック釦８はシャツの上の合わせ目を保持したまま、シャツの合わせ目を１０〜１５ｍｍ程の半開放に出来るので、礼を失しないで体熱放出状態を保てる。【選択図】図１
0003147328.tif 000002
【実用新案登録請求の範囲】
【請求項１】
円錐ばねの線自体のみを被服に似合うよう繊維類等で覆った円錐ばねの小円環側のばね線の先端を、ホック固有のばね止めのある周辺に固定し、その線の先を周辺部よりホックの下の中央近くに出し、下方に続く各円錐ばね環は一段下がる毎に、隣り合ったばね環と隙間をあけない程度で、極く僅かゆとりのある大小関係を持たせることにより、全ての円錐ばね環は最終円錐ばね環の環内に一線径の高さの盤面状になり、上側になるホック上面は、プラスチック等を被せてあるだけで、通常のホックをとめた状態になり、ホックを外すと円錐ばねが、１５ｍｍ前後伸びている状態を保てることを特徴とする釦。
【考案の詳細な説明】
【技術分野】
【０００１】  本発明は、円錐ばねとホックの働きを組み合わせた釦に関するものである。
【背景技術】
【０００２】  釦の形、質は時代と共に素材や使い方とも単純素朴から複雑で機能的なもの、飾のために使われる装飾釦まで現われた。釦の材としては、繊維（紐）、貝類、陶磁、木、ガラス、金属、プラスチック等がある。機能面から見ると衣類の合わせ目で紐のこぶと輪にした紐を引っかけて役目をするもの、釦穴に釦を通すもの、外から見えないようにしたホック。チャックは用途が多いが釦がわりとしても使われる。
【考案の開示】
【考案が解決しようとする課題】
【０００３】  暑い時人前で釦を外すと、下着が見えたりして見苦しく、また礼を失することになる。そこで本発明は、暑い季節を涼しく過す機能を具えた釦を提供するものである。
【課題を解決するための手段】
【０００４】  円錐ばねの線自体のみを繊維で出来ている衣類に似合うよう繊維類等を薄く固着させた円錐ばねの小円環のばね線の先端を、ホック固有のばね止めのある周辺に固定し、その線の先を周辺部よりホックの下の中央附近（〔図１〕３）に出し、下方に続く各円錐ばね環は一段下がる毎に、隣り合ったばね環と隙間をあけない程度で極く僅かゆとりのある大小関係を持たせることにより、全ての円錐ばね環は最終円錐ばね環（〔図５〕１１）の環内に一線径の高さの盤面状になり、上側になるホックの上面はプラスチック等を被せてあるだけで、通常のホックをとめた状態になり、ホックを外すと円錐ばねが１５ｍｍ前後伸びている状態になる。服の合わせ目をきちっとする時には浮き上がっている（〔図１〕８）のプラスチック部分を指で（〔図５〕４）へ押さえれば着衣は正装となる。
【考案の効果】
【０００５】  暑気の強い季節は誰しも先ず、「冷・涼」を求める。それに水をくわえてこの三点が、過度に抑止される時は生死の危険に晒され、毎年熱中症で幾許かの犠牲者が出ている現実がある。本考案によるクールビズ釦は上記の危険をも幾分軽減させ得るであろう。また過剰な体熱を放出し、涼気を流入させられる。クーラーなどの使用量も軽減され、二酸化炭素の減量にも繋がることと考える。
【考案を実施するための最良の形態】
【０００６】  本発明は釦をシャツから外しても、「時、所、位」に適するように臨機に応用の利く釦で、快適性、儀礼性、及び仕事の能率性を高められるように考案したものである。その方法として、ホックと円錐ばねとを組合せ、ホックの上部分（〔図１〕８）にはプラスチックや金属等を被せておく。（〔図５〕）の状態は、シャツの合わせ目に普通の釦穴をあけてあり、（〔図５〕２）の釦はシャツの上の合わせ目の釦穴から、普通の釦と同様に外から見える位置にある。釦穴は（〔図５〕２）のプラスチック釦と（〔図５〕１１）の円錐ばねの間に挟まっている。前記プラスチック釦の下の（〔図５〕５）の下のホック部は、シャツの合わせ目の下に縫いつけられている。従って上のプラスチック釦と下のホック部を指先で剥がすと円錐ばねで、プラスチック釦はシャツの上合わせ目をつけたまま、１５ｍｍ前後下シャツと離れて浮き上り、半解放状態で風通しをよくする。正式な服装にする時には、（〔図１〕８）のプラスチック部分を上から押しつければ、下のホック部と一体となり（〔図５〕の状態となる。
【産業上の利用可能性】
【０００７】  火を使用する作業場、発汗を伴う仕事、クーラーを使用する部屋等に適する。
【図面の簡単な説明】
【０００８】
【図１】  クールビズ釦の円錐ばねの使用状態側面図
【図２】  上ホック部（〔図１〕２）プラスチック部の断面側面図
【図３】  （〔図１〕２）の円錐ばねの取付けを示す断面図
【図４】  ホックの上部（〔図１〕２）の平面断面図
【図５】  クールビズ釦が通常釦様にはめられている側面図
【符号の説明】
【０００９】  １  ホックの凸形部で下の（〔符号〕４）の小凸形部が嵌入する部分
２  ホックの周縁
３  円錐ばねの初環部
４  ホック下部の小凸部
５  ホック下部の中に円錐ばね（〔符号〕６）終端部を留める
６  円錐ばねを留めるための周縁部の爪
７  円錐ばねの出口
８  上部ホックプラスチック部分
９  円錐ばね固定部
１０  ホック固有ばね
１１  円錐ばね終環部
【図１】
0003147328.tif 000003
【図２】
0003147328.tif 000004
【図３】
0003147328.tif 000005
【図４】
0003147328.tif 000006
【図５】
0003147328.tif 000007